(57)【要約】【課題】障害が発生したコアネットワークの処理負荷を軽減すること。【解決手段】Ｓ−ＧＷ１は、デフォルトＣＮ２−１と、ＵＥ５が現在収容されているＤｅｃｏｒ２−２とを含む移動体通信システム７に含まれ、Ｄｅｃｏｒ２−２の障害情報を格納する障害情報格納部１１と、ＵＥ５に対する下り通信を受信した場合に、下り通信の呼処理を行うＤｅｃｏｒ２−２のＭＭＥに障害が発生しているか否かを障害情報格納部１１によって格納された障害情報に基づいて判定する障害判定部１３と、障害判定部１３によってＤｅｃｏｒ２−２のＭＭＥに障害が発生していると判定された場合に、ページングを送信するＭＭＥ候補としてデフォルトＣＮ２−１のＭＭＥを含めた上で、ＭＭＥ候補からＭＭＥを選択し、選択したＭＭＥにページングを送信するページング送信部１４と、を備える。【選択図】図３
2018037875.tif 000002
【特許請求の範囲】
【請求項１】
第１コアネットワークと、前記第１コアネットワークとは異なる、一の移動体通信端末が現在収容されている第２コアネットワークとを含む移動体通信システムにおけるゲートウェイ装置であって、
前記第２コアネットワークの障害情報を格納する障害情報格納部と、
前記移動体通信端末に対する下り通信を受信した場合に、前記下り通信の呼処理を行う前記第２コアネットワークの呼処理ノードに障害が発生しているか否かを前記障害情報格納部によって格納された障害情報に基づいて判定する障害判定部と、
前記障害判定部によって前記呼処理ノードに障害が発生していると判定された場合に、ページングを送信する呼処理ノード候補として前記第１コアネットワークの呼処理ノードを含めた上で、前記呼処理ノード候補から呼処理ノードを選択し、選択した呼処理ノードに前記ページングを送信するページング送信部と、
を備えるゲートウェイ装置。
【請求項２】
前記障害情報格納部は、さらに、前記第１コアネットワークの障害情報を格納し、
前記障害判定部は、前記下り通信を受信した場合に、さらに、前記第１コアネットワークに障害が発生しているか否かを前記障害情報格納部によって格納された障害情報に基づいて判定し、
前記ページング送信部は、前記障害判定部によって、前記呼処理ノードに障害が発生していると判定され、かつ前記第１コアネットワークに障害が発生していないと判定された場合に、前記呼処理ノード候補として前記第１コアネットワークの呼処理ノードを含めた上で、前記呼処理ノード候補から呼処理ノードを選択し、選択した呼処理ノードに前記ページングを送信する、
請求項１に記載のゲートウェイ装置。
【請求項３】
請求項１又は２に記載のゲートウェイ装置から送信された前記ページングを受信した前記第１コアネットワークの呼処理ノードであって、
前記ページング送信部によって前記ページングに含まれた、前記障害判定部によって障害が発生していると判定された前記第２コアネットワークの呼処理ノードに関する障害ノード情報を格納する障害ノード情報格納部と、
前記移動体通信端末からアタッチを受信した際に、アタッチの対象が前記障害ノード情報格納部によって格納された障害ノード情報が示す対象と一致するか否かを判定するアタッチ対象判定部と、
前記アタッチ対象判定部によって前記障害ノード情報が示す対象と一致すると判定された場合に、当該対象以外の呼処理ノードを前記アタッチの対象とした処理を行うアタッチ処理部と、
を備える呼処理ノード。
【請求項４】
第１コアネットワークと、前記第１コアネットワークとは異なる、一の移動体通信端末が現在収容されている第２コアネットワークとを含む移動体通信システムにおけるゲートウェイ装置であって、前記第２コアネットワークの障害情報を格納する障害情報格納部を備えるゲートウェイ装置により実行されるページング方法であって、
前記移動体通信端末に対する下り通信を受信した場合に、前記下り通信の呼処理を行う前記第２コアネットワークの呼処理ノードに障害が発生しているか否かを前記障害情報格納部によって格納された障害情報に基づいて判定する障害判定ステップと、
前記障害判定ステップにおいて前記呼処理ノードに障害が発生していると判定された場合に、ページングを送信する呼処理ノード候補として前記第１コアネットワークの呼処理ノードを含めた上で、前記呼処理ノード候補から呼処理ノードを選択し、選択した呼処理ノードに前記ページングを送信するページング送信ステップと、
を含むページング方法。
【発明の詳細な説明】
【技術分野】
【０００１】
本発明は、複数のコアネットワークを含み、移動体通信端末が何れかのコアネットワークに振り分けられる移動体通信システムにおけるゲートウェイ装置、呼処理ノード及びページング方法に関する。
【背景技術】
【０００２】
下記非特許文献１（特に４．３．２５節及び５．１９節）には、移動体通信システムにおいて、特定用途向けの専用のコアネットワーク（Dedicated  Core  Network。以降「Ｄｅｃｏｒ」（正確には「ｅ」にアキュート・アクセントを付す）と呼ぶ）を構築し、移動体通信端末を、当該移動通信端末の用途の特徴に応じたＤｅｃｏｒに振り分ける技術が開示されている。
【先行技術文献】
【非特許文献】
【０００３】
【非特許文献１】3GPP  TS  23.401  V13.7.0  (2016-06)
【発明の概要】
【発明が解決しようとする課題】
【０００４】
従来の移動体通信システムでは、あるコアネットワークの呼処理ノードが故障した状態で当該呼処理ノードを対象とした下り通信が発生した場合、呼処理継続のため、同じコアネットワーク内の他の呼処理ノードに迂回するためのページングが行われる。その場合、当該コアネットワークの処理負荷が大きくなり、ネットワークの輻輳を起こす懸念がある。例えば、上述のコアネットワークがＤｅｃｏｒである場合、Ｄｅｃｏｒは特定用途向けの専用のコアネットワークであるため、コスト効率化の観点から余剰設備が少ないことが多く、そのため、少ない余剰設備にページングの負荷が発生し、Ｄｅｃｏｒの処理負荷が大きくなり、ネットワークの輻輳を起こす懸念がある。
【０００５】
そこで、本発明は、かかる課題に鑑みて為されたものであり、障害が発生したコアネットワークの処理負荷を軽減することができるゲートウェイ装置、呼処理ノード及びページング方法を提供することを目的とする。
【課題を解決するための手段】
【０００６】
上記課題を解決するため、本発明の一側面に係るゲートウェイ装置は、第１コアネットワークと、第１コアネットワークとは異なる、一の移動体通信端末が現在収容されている第２コアネットワークとを含む移動体通信システムにおけるゲートウェイ装置であって、第２コアネットワークの障害情報を格納する障害情報格納部と、移動体通信端末に対する下り通信を受信した場合に、下り通信の呼処理を行う第２コアネットワークの呼処理ノードに障害が発生しているか否かを障害情報格納部によって格納された障害情報に基づいて判定する障害判定部と、障害判定部によって呼処理ノードに障害が発生していると判定された場合に、ページングを送信する呼処理ノード候補として第１コアネットワークの呼処理ノードを含めた上で、呼処理ノード候補から呼処理ノードを選択し、選択した呼処理ノードにページングを送信するページング送信部と、を備える。
【０００７】
このようなゲートウェイ装置によれば、移動体通信端末に対する下り通信を受信し、下り通信の呼処理を行う第２コアネットワークの呼処理ノードに障害が発生していると判定された場合に、ページングを送信する呼処理ノード候補として第１コアネットワークの呼処理ノードを含めた上で、呼処理ノード候補から呼処理ノードを選択し、選択した呼処理ノードにページングが送信される。かかる構成を採れば、ページングの送信先として第１コアネットワークの呼処理ノードも対象となるため、ページングによる処理負荷が第１コアネットワークに分散され、障害が発生した第２コアネットワークの処理負荷を軽減することができる。
【発明の効果】
【０００８】
本発明によれば、障害が発生したコアネットワークの処理負荷を軽減することができる。
【図面の簡単な説明】
【０００９】
【図１】従来技術におけるページング処理を説明する図である。
【図２】本発明の実施形態に係るゲートウェイ装置及び呼処理ノードを含む移動体通信システムにおけるページング処理を説明する図である。
【図３】本発明の実施形態に係るゲートウェイ装置の機能ブロック図である。
【図４】本発明の実施形態に係るゲートウェイ装置のハードウェア構成図である。
【図５】本発明の実施形態に係る呼処理ノードの機能ブロック図である。
【図６】本発明の実施形態に係る呼処理ノードのハードウェア構成図である。
【図７】本発明の実施形態に係るゲートウェイ装置及び呼処理ノードを含む移動体通信システムで実行されるページング処理（ページング方法）を示すシーケンス図（その１）である。
【図８】本発明の実施形態に係るゲートウェイ装置及び呼処理ノードを含む移動体通信システムで実行されるページング処理（ページング方法）を示すシーケンス図（その２）である。
【発明を実施するための形態】
【００１０】
以下、図面とともに本発明による装置の実施形態について詳細に説明する。なお、図面の説明においては同一要素には同一符号を付し、重複する説明を省略する。
【００１１】
図１は、従来技術におけるページング処理を説明する図である。より具体的には、図１は、従来の移動体通信システムにおいて、移動通信端末が現在収容されているコアネットワークに障害が発生した際に、当該移動通信端末に対する下り通信を受信した場合のページング処理に関する各装置間の処理の流れをステップＳ０１ａ〜Ｓ１０ａ（後述）にて示している。図１に示す通り、移動体通信システム７ａは、ＵＥ（User  Equipment）５ａ、ｅＮＢ（evolved  Node  B）４ａ、ＭＭＥ（Mobility  Management  Entity）２ａ（ＭＭＥ２−１−１ａ、ＭＭＥ２−２−１ａ及びＭＭＥ２−２−２ａ等を総称して２ａと呼ぶ）、ＨＳＳ（Home  Subscriber  Server）６ａ、Ｓ−ＧＷ（Serving  Gateway）１ａ及びＰ−ＧＷ（Packet  Data  Network  Gateway）３ａを含んで構成される。
【００１２】
ＵＥ５ａは、移動体通信端末であり、移動体通信システム７ａにおいて移動体通信を行う。ｅＮＢ４ａは、いわゆる基地局であり、無線リソース管理機能、移動管理機能、無線ベアラ制御機能、スケジューリング機能などを具備し、コアネットワークと接続してユーザパケットを転送する。ＭＭＥ２ａは、パケット通信用のセッション（接続）の設定・開放やハンドオーバーの制御を行う等、移動管理（モビリティ制御）やベアラ制御を行う移動管理制御装置である。ＨＳＳ６ａは、加入者のプロファイル情報などが格納される加入者情報管理装置である。Ｓ−ＧＷ１ａは、ユーザパケットのルーティング機能や転送機能を提供するルーティングゲートウェイ装置である。Ｐ−ＧＷ３ａは、通信事業者のＩＰサービスネットワークや公衆インターネットなどの外部ネットワークとの接続点の役割を担い、ユーザパケットを外部ネットワークとの間で転送する外部ネットワークゲートウェイ装置である。なお、上述のＵＥ５ａ、ｅＮＢ４ａ、ＭＭＥ２ａ、ＨＳＳ６ａ、Ｓ−ＧＷ１ａ及びＰ−ＧＷ３ａのそれぞれは、３ＧＰＰ（Third  Generation  Partnership  Project）にて規定されており、上記で説明した以外の規定されている機能を有するものとする。３ＧＰＰにて規定されている内容については本実施形態では説明を省略する。また、本実施形態で説明する各種の移動体通信システムは、３ＧＰＰにて規定されているその他のノードや機能等を含んでいてもよい。
【００１３】
図１に示す移動体通信システム７ａは、２つのコアネットワークであるデフォルトＣＮ（デフォルトコアネットワーク）２−１ａ及びＤｅｃｏｒ２−２ａを含み、それぞれのコアネットワークは一つ以上のＭＭＥ２ａによって形成される。そして、ＵＥ５ａが移動体通信システム７ａに最初にアタッチする際に、ＵＥ５ａからのアタッチ要求が、デフォルトのコアネットワークであるデフォルトＣＮ２−１ａのＭＭＥ２ａに転送される。当該ＭＭＥ２ａにて、ＵＥ５ａの用途の特徴（後述の端末用途種別識別情報）に基づいたコアネットワークが選択され（例えば、Ｄｅｃｏｒ２−２ａが選択される）、選択されたコアネットワークにおいてアタッチ処理が実施される。これにより、移動体通信システムに複数のコアネットワークを構築し、移動体通信端末を、当該移動通信端末の用途の特徴に応じたコアネットワークに振り分けることが可能となる。Ｄｅｃｏｒの処理の詳細については非特許文献の「3GPP  TS  23.401  V13.7.0  (2016-06)」を参照されたい。
【００１４】
図１の処理の流れを説明する前に、初期状態として、ＵＥ５ａはＤｅｃｏｒ２−２ａのＭＭＥ２−２−１ａにアタッチしている状態であり、当該ＭＭＥ２−２−１ａが故障したとする。Ｓ−ＧＷ１ａは管理しているＭＭＥ２ａを定期的に監視しており、Ｓ−ＧＷ１ａにより、ＭＭＥ２−２−１ａの故障が検知される（Ｓ０１ａ）。次に、Ｓ−ＧＷ１ａにより、Ｐ−ＧＷ３ａからＵＥ５ａに対する下り通信が受信される（Ｓ０２ａ）。Ｓ−ＧＷ１ａは、ＵＥ５ａがアタッチしているＭＭＥ２−２−１ａが故障中であることを把握しているため、Ｓ−ＧＷ１ａにより、Ｄｅｃｏｒ２−２ａ内の他のＭＭＥであるＭＭＥ２−２−２ａにページング（IMSI（International  Mobile  Subscriber  Identity）  Paging）が送信される（Ｓ０３ａ）。次に、ＭＭＥ２−２−２ａにより、ページングがｅＮＢ４ａに送信され（Ｓ０４ａ）、ｅＮＢ４ａにより、ページングがＵＥ５ａに送信される（Ｓ０５ａ）。
【００１５】
次に、ＵＥ５ａにより、ページングの応答として、アタッチがｅＮＢ４ａに送信され（Ｓ０６ａ）、ｅＮＢ４ａにより、アタッチがデフォルトのコアネットワークであるデフォルトＣＮ２−１ａのＭＭＥであるＭＭＥ２−１−１ａに送信される（Ｓ０７ａ）。次に、ＭＭＥ２−１−１ａにより、端末用途種別識別情報の問い合わせがＨＳＳ６ａに送信され（Ｓ０８ａ）、その応答として、ＨＳＳ６ａより、端末用途種別識別情報がＭＭＥ２−１−１ａに送信される（Ｓ０９ａ）。次に、ＭＭＥ２−１−１ａは、受信した端末用途種別識別情報に基づいてＵＥ５ａはＤｅｃｏｒ２−２ａに収容されるべきであると判定し、ＭＭＥ２−１−１ａにより、アタッチがＤｅｃｏｒ２−２ａのＭＭＥであるＭＭＥ２−２−２ａにリダイレクトされる（Ｓ１０ａ）。
【００１６】
以上の従来技術におけるページング処理の課題として、２つの課題がある。１つ目の課題は、Ｓ０３ａにて、故障中であるＭＭＥ２−２−１ａを含むＤｅｃｏｒ２−２ａ内の他のＭＭＥであるＭＭＥ２−２−２ａにページングが送信されることで、Ｄｅｃｏｒ２−２ａのＭＭＥ２ａにおいてページング処理の負荷が大きくなり、Ｄｅｃｏｒ２−２ａにてネットワークの輻輳が起きる可能性が高くなることである。２つ目の課題は、Ｓ１０ａにて、アタッチがＤｅｃｏｒ２−２ａのＭＭＥ２−２−２ａにリダイレクトされることで、Ｄｅｃｏｒ２−２ａのＭＭＥ２ａにおいて折り返しのアタッチ処理の負荷が大きくなり、Ｄｅｃｏｒ２−２ａにてネットワークの輻輳が起きる可能性が高くなることである。上述の２つの課題を解決するために、Ｄｅｃｏｒ２−２ａの設備（ＭＭＥ２ａ等）の増設を行うことが考えられる。しかしながら、そもそもＤｅｃｏｒは、特定用途向けのコアネットワークを専用に構築することでコスト効率化を実現する技術であるため、設備の増設を行うことは本末転倒である。また、既存技術のＳ１−Ｆｌｅｘなど既存の負荷分散技術は、同一コアネットワークを前提としており、Ｄｅｃｏｒに適用することはできない。
【００１７】
図２は、本発明の実施形態に係るＳ−ＧＷ１（ゲートウェイ装置）及びＭＭＥ２（呼処理ノード）を含む移動体通信システム７におけるページング処理を説明する図である。図１の各ノード及び各処理と、当該名称の最後の「ａ」を除いた名称である図２の各ノード及び各処理とはほぼ同様の構成又は処理であり、詳細な説明を省略し、差分についてのみ説明する。Ｓ０２の後、Ｓ−ＧＷ１は、Ｓ０２で受信した下り通信の呼処理を行うのが故障中であるＭＭＥ２−２−１であることを判定すると、Ｄｅｃｏｒ２−２（第２コアネットワーク）とは異なるコアネットワークであるデフォルトＣＮ２−１（第１コアネットワーク）のＭＭＥ２をページングの送信先候補として追加する。そして、送信先候補からページングの送信先としてデフォルトＣＮ２−１のＭＭＥ２−１−１が選択された場合、Ｓ−ＧＷ１により、選択されたＭＭＥ２−１−１にページングが送信される（Ｓ０３ｂ）。なお、Ｓ０３ｂにて送信されるページングには、故障しているＭＭＥ２−２−１に関する障害ノード情報が含まれており、ページングを受信したＭＭＥ２−１−１は、ページングに含まれる障害ノード情報を保持する。
【００１８】
Ｓ０９の後、ＭＭＥ２−１−１は、ＵＥ５（移動体通信端末、一の移動体通信端末）からのアタッチがＤｅｃｏｒ２−２のＭＭＥ２を対象としたものであるか否かを、保持している障害ノード情報に基づいて判定する。そして、Ｄｅｃｏｒ２−２のＭＭＥ２を対象としていれば、ＭＭＥ２−１−１は、Ｄｅｃｏｒ２−２ａのＭＭＥ２にはリダイレクトせず、Ｄｅｃｏｒ２−２へのアタッチとして処理を実施する。
【００１９】
図２に示す移動体通信システム７では、上述の２つの課題を解決することができる。具体的には、１つ目の課題については、Ｓ０３ｂの通り、Ｄｅｃｏｒ２−２のＭＭＥ２にはページングが送信されにくくなるため、Ｄｅｃｏｒ２−２のＭＭＥ２においてページング処理の負荷は軽減される。２つ目の課題については、Ｓ０９の後の処理の通り、アタッチがＤｅｃｏｒ２−２のＭＭＥ２にはリダイレクトされにくくなるため、Ｄｅｃｏｒ２−２のＭＭＥ２において折り返しのアタッチ処理の負荷が軽減される。
【００２０】
なお、移動体通信システム７は、Ｓ−ＧＷ１、ＭＭＥ２、Ｐ−ＧＷ３、ｅＮＢ４、ＵＥ５及びＨＳＳ６をそれぞれ一つ以上含んでもよいし、一部を含まなくてもよい。
【００２１】
以上、図１及び図２を用いて、従来技術におけるページング処理と、本発明の実施形態に係るＳ−ＧＷ１及びＭＭＥ２を含む移動体通信システム７におけるページング処理との違いについて説明した。以下、Ｓ−ＧＷ１及びＭＭＥ２の機能について説明する。
【００２２】
図３は、Ｓ−ＧＷ１の機能ブロック図である。図３に示す通り、Ｓ−ＧＷ１は、障害監視部１０、障害情報格納部１１、下り通信受信部１２、障害判定部１３及びページング送信部１４を含んで構成される。
【００２３】
図３に示す機能ブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００２４】
例えば、Ｓ−ＧＷ１などは、本発明のページング処理を行うコンピュータとして機能してもよい。図４は、Ｓ−ＧＷ１のハードウェア構成の一例を示す図である。上述のＳ−ＧＷ１は、物理的には、プロセッサ１００１、メモリ１００２、ストレージ１００３、通信装置１００４、入力装置１００５、出力装置１００６、バス１００７などを含むコンピュータ装置として構成されてもよい。
【００２５】
なお、以下の説明では、「装置」という文言は、回路、デバイス、ユニットなどに読み替えることができる。Ｓ−ＧＷ１のハードウェア構成は、図に示した各装置を１つ又は複数含むように構成されてもよいし、一部の装置を含まずに構成されてもよい。
【００２６】
Ｓ−ＧＷ１における各機能は、プロセッサ１００１、メモリ１００２などのハードウェア上に所定のソフトウェア（プログラム）を読み込ませることで、プロセッサ１００１が演算を行い、通信装置１００４による通信や、メモリ１００２及びストレージ１００３におけるデータの読み出し及び／又は書き込みを制御することで実現される。
【００２７】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）で構成されてもよい。例えば、上述の障害監視部１０、下り通信受信部１２、障害判定部１３及びページング送信部１４などは、プロセッサ１００１で実現されてもよい。
【００２８】
また、プロセッサ１００１は、プログラム（プログラムコード）、ソフトウェアモジュールやデータを、ストレージ１００３及び／又は通信装置１００４からメモリ１００２に読み出し、これらに従って各種の処理を実行する。プログラムとしては、本実施形態で説明する動作の少なくとも一部をコンピュータに実行させるプログラムが用いられる。例えば、Ｓ−ＧＷ１の障害監視部１０、下り通信受信部１２、障害判定部１３及びページング送信部１４などは、メモリ１００２に格納され、プロセッサ１００１で動作する制御プログラムによって実現されてもよく、他の機能ブロックについても同様に実現されてもよい。上述の各種処理は、１つのプロセッサ１００１で実行される旨を説明してきたが、２以上のプロセッサ１００１により同時又は逐次に実行されてもよい。プロセッサ１００１は、１以上のチップで実装されてもよい。なお、プログラムは、電気通信回線を介してネットワークから送信されても良い。
【００２９】
メモリ１００２は、コンピュータ読み取り可能な記録媒体であり、例えば、ＲＯＭ（Read  Only  Memory）、ＥＰＲＯＭ（Erasable  Programmable  ＲＯＭ）、ＥＥＰＲＯＭ（Electrically  Erasable  Programmable  ＲＯＭ）、ＲＡＭ（Random  Access  Memory）などの少なくとも１つで構成されてもよい。メモリ１００２は、レジスタ、キャッシュ、メインメモリ（主記憶装置）などと呼ばれてもよい。メモリ１００２は、本実施形態に係るページング方法を実施するために実行可能なプログラム（プログラムコード）、ソフトウェアモジュールなどを保存することができる。
【００３０】
ストレージ１００３は、コンピュータ読み取り可能な記録媒体であり、例えば、ＣＤ−ＲＯＭ（Compact  Disc  ＲＯＭ）などの光ディスク、ハードディスクドライブ、フレキシブルディスク、光磁気ディスク(例えば、コンパクトディスク、デジタル多用途ディスク、Ｂｌｕ−ｒａｙ（登録商標）ディスク)、スマートカード、フラッシュメモリ（例えば、カード、スティック、キードライブ）、フロッピー（登録商標）ディスク、磁気ストリップなどの少なくとも１つで構成されてもよい。ストレージ１００３は、補助記憶装置と呼ばれてもよい。上述の記憶媒体は、例えば、メモリ１００２及び／又はストレージ１００３を含むデータベース、サーバその他の適切な媒体であってもよい。例えば、上述の障害情報格納部１１などは、ストレージ１００３で実現されてもよい。
【００３１】
通信装置１００４は、有線及び／又は無線ネットワークを介してコンピュータ間の通信を行うためのハードウェア（送受信デバイス）であり、例えばネットワークデバイス、ネットワークコントローラ、ネットワークカード、通信モジュールなどともいう。例えば、上述の下り通信受信部１２及びページング送信部１４などは、通信装置１００４で実現されてもよい。
【００３２】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、LEDランプなど）である。なお、入力装置１００５及び出力装置１００６は、一体となった構成（例えば、タッチパネル）であってもよい。
【００３３】
また、プロセッサ１００１やメモリ１００２などの各装置は、情報を通信するためのバス１００７で接続される。バス１００７は、単一のバスで構成されてもよいし、装置間で異なるバスで構成されてもよい。
【００３４】
また、Ｓ−ＧＷ１は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアにより、各機能ブロックの一部又は全てが実現されてもよい。例えば、プロセッサ１００１は、これらのハードウェアの少なくとも１つで実装されてもよい。
【００３５】
以下、図３に示すＳ−ＧＷ１の各機能ブロックについて説明する。なお、前提として、Ｓ−ＧＷ１は、図２に示す移動体通信システム７（ＵＥ５がＤｅｃｏｒ２−２に現在収容されている等）に含まれるＳ−ＧＷ１であることを想定する。
【００３６】
障害監視部１０は、Ｓ−ＧＷ１が管理するＭＭＥ２の障害や、当該ＭＭＥ２が形成するコアネットワークの障害を監視する。障害の具体例としては、装置の死活、装置の故障及びネットワークの輻輳などが挙げられる。例えば、障害監視部１０は、各ＭＭＥ２に対して定期的にポーリングを行うことで障害を監視し、障害を検知した場合は当該障害に関する障害情報を生成し、障害情報格納部１１に格納させる。障害情報には、障害を起こした装置の識別情報、障害を起こしたネットワークの識別情報及び障害の内容を示す情報などが含まれる。
【００３７】
障害情報格納部１１は、Ｓ−ＧＷ１が管理するＭＭＥ２の障害情報及び当該ＭＭＥ２が形成するコアネットワークの障害情報を格納する。例えば、障害情報格納部１１は、デフォルトＣＮ２−１のＭＭＥ２の障害情報、デフォルトＣＮ２−１の障害情報、Ｄｅｃｏｒ２−２のＭＭＥ２の障害情報及びＤｅｃｏｒ２−２の障害情報などを格納する。なお、障害情報格納部１１は、デフォルトＣＮ２−１のＭＭＥ２の障害情報及びデフォルトＣＮ２−１の障害情報は格納せずに、Ｄｅｃｏｒ２−２のＭＭＥ２の障害情報及びＤｅｃｏｒ２−２の障害情報を格納してもよい。障害情報格納部１１は、Ｓ−ＧＷ１が管理するＭＭＥ２及び当該ＭＭＥ２が形成するコアネットワークに関するその他の情報を格納してもよい。
【００３８】
下り通信受信部１２は、Ｐ−ＧＷ３から下り通信（ＵＥ５に向かった下り方向の情報）を受信する。下り通信の具体例として、ＵＥ５の通信相手である対向装置からの通信（情報）が挙げられる。下り通信受信部１２は、他の装置から下り通信を受信してもよい。下り通信受信部１２は、受信した下り通信を障害判定部１３に出力する。
【００３９】
障害判定部１３は、ＵＥ５に対する下り通信を受信した場合に、下り通信の呼処理を行うＤｅｃｏｒ２−２のＭＭＥ２に障害が発生しているか否かを障害情報格納部１１によって格納された障害情報に基づいて判定する。具体的に、障害判定部１３は、下り通信受信部１２から下り通信を入力すると、下り通信の対象となるＭＭＥ２の識別情報を従来技術により取得する。例えば、障害判定部１３は、下り通信に含まれる識別情報及びＳ−ＧＷ１に予め格納された情報などに基づいて当該ＭＭＥ２の識別情報を取得する。次に、障害判定部１３は、下り通信の対象となるＭＭＥ２が形成するコアネットワークの識別情報を従来技術により取得する。例えば、障害判定部１３は、下り通信に含まれる識別情報、取得したＭＭＥ２の識別情報及びＳ−ＧＷ１に予め格納された情報などに基づいて当該コアネットワークの識別情報を取得する。
【００４０】
次に、障害判定部１３は、取得したコアネットワークの識別情報に基づいて、下り通信が所定のコアネットワーク、ここではＤｅｃｏｒ２−２向けの通信であるか否かを判定する。障害判定部１３は、Ｄｅｃｏｒ２−２向けの通信であると判定すると、次に、取得したＭＭＥ２の識別情報と、障害情報格納部１１によって格納された障害情報に含まれるＭＭＥ２の識別情報とを比較することで、下り通信の対象となるＤｅｃｏｒ２−２のＭＭＥ２に障害が発生しているか否かを判定する。なお、障害判定部１３は、下り通信が所定のコアネットワーク向けの通信であるか否かの判定を省略し、直接、下り通信の対象となるＭＭＥ２に障害が発生しているか否かを判定してもよい。次に、障害判定部１３は、判定結果をページング送信部１４に出力する。判定結果は、障害が発生しているか否かを示すフラグ値、障害が発生している場合は障害が発生しているＭＭＥ２の識別情報（あるいは当該ＭＭＥ２が属するＭＭＥグループのグループ識別情報である「MMEGI」（MME  Group  ID））、当該ＭＭＥ２が属するＤｅｃｏｒ２−２の識別情報などを含む。
【００４１】
障害判定部１３は、下り通信を受信した場合に、上記判定以外に、さらに、デフォルトＣＮ２−１に障害が発生しているか否かを障害情報格納部１１によって格納された障害情報に基づいて判定してもよい。当該判定方法については上述と同様のため説明を省略する。
【００４２】
ページング送信部１４は、障害判定部１３によってＭＭＥ２に障害が発生していると判定された場合に、ページングを送信するＭＭＥ２候補（呼処理ノード候補）としてデフォルトＣＮ２−１のＭＭＥ２を含めた上で、ＭＭＥ２候補からＭＭＥ２を選択し、選択したＭＭＥ２にページングを送信する。具体的に、ページング送信部１４は、障害判定部１３から入力された判定結果が、ＭＭＥ２に障害が発生している旨を示す情報である場合に、ページングを送信するＭＭＥ２候補として、障害が発生しているコアネットワークであるＤｅｃｏｒ２−２のＭＭＥ２（障害が発生しているＭＭＥ２以外）以外に、デフォルトのコアネットワークであるデフォルトＣＮ２−１のＭＭＥ２を含める。なお、ページング送信部１４は、ページングを送信するＭＭＥ２候補として、障害が発生しているコアネットワークであるＤｅｃｏｒ２−２のＭＭＥ２は含めず、デフォルトのコアネットワークであるデフォルトＣＮ２−１のＭＭＥ２のみを含めてもよい。次に、ページング送信部１４は、ＭＭＥ２候補からＭＭＥ２を所定の方法により選択する。例えば、ページング送信部１４は、ＭＭＥ２候補からＭＭＥ２をランダムに選択してもよいし、ラウンドロビンにより順番に選択してもよい。次に、ページング送信部１４は、選択したＭＭＥ２にページングを送信する。
【００４３】
なお、ページング送信部１４は、障害判定部１３によって、ＭＭＥ２に障害が発生していると判定され、かつデフォルトＣＮ２−１に障害が発生していないと判定された場合に（限り）、ＭＭＥ２候補としてデフォルトＣＮ２−１のＭＭＥ２を含めた上で、ＭＭＥ２候補からＭＭＥ２を選択し、選択したＭＭＥ２にページングを送信してもよい。デフォルトＣＮ２−１に障害が発生していないとの判定は、上記と同様に、障害判定部１３から入力された判定結果に基づいて実施される。
【００４４】
ページング送信部１４は、選択したＭＭＥ２にページングを送信する際に、障害判定部１３によって障害が発生していると判定されたＤｅｃｏｒ２−２のＭＭＥ２に関する障害ノード情報をページングに含めて送信してもよい。障害ノード情報の具体例として、障害判定部１３から入力された判定結果に含まれる、障害が発生しているＭＭＥ２の識別情報、当該ＭＭＥ２が属するＤｅｃｏｒ２−２の識別情報、下り通信の宛先であるＵＥ５の用途の特徴を示す端末用途種別識別情報である「UE  Usage  Type」、障害が発生しているＭＭＥ２の識別情報である「MMEGI」などが挙げられる。後述の図７及び８のシーケンス図において、ページングには、障害ノード情報として「UE  Usage  Type」及び「MMEGI」を含むものとする。なお、「UE  Usage  Type」及び「MMEGI」については３ＧＰＰにて規定されている。
【００４５】
図５は、ＭＭＥ２の機能ブロック図である。図５に示す通り、ＭＭＥ２は、ページング受信部２０、障害ノード情報格納部２１、アタッチ受信部２２、アタッチ対象判定部２３及びアタッチ処理部２４を含んで構成される。
【００４６】
図５に示す機能ブロック図は、機能単位のブロックを示している。これらの機能ブロック（構成部）は、ハードウェア及び／又はソフトウェアの任意の組み合わせによって実現される。また、各機能ブロックの実現手段は特に限定されない。すなわち、各機能ブロックは、物理的及び／又は論理的に結合した１つの装置により実現されてもよいし、物理的及び／又は論理的に分離した２つ以上の装置を直接的及び／又は間接的に(例えば、有線及び／又は無線)で接続し、これら複数の装置により実現されてもよい。
【００４７】
例えば、ＭＭＥ２などは、本発明のページング処理を行うコンピュータとして機能してもよい。図６は、ＭＭＥ２のハードウェア構成の一例を示す図である。上述のＭＭＥ２は、物理的には、プロセッサ２００１、メモリ２００２、ストレージ２００３、通信装置２００４、入力装置２００５、出力装置２００６、バス２００７などを含むコンピュータ装置として構成されてもよい。
【００４８】
ＭＭＥ２のハードウェア構成は、図に示した各装置を１つ又は複数含むように構成されてもよいし、一部の装置を含まずに構成されてもよい。
【００４９】
ＭＭＥ２における各機能は、プロセッサ２００１、メモリ２００２などのハードウェア上に所定のソフトウェア（プログラム）を読み込ませることで、プロセッサ２００１が演算を行い、通信装置２００４による通信や、メモリ２００２及びストレージ２００３におけるデータの読み出し及び／又は書き込みを制御することで実現される。
【００５０】
プロセッサ２００１は、例えば、オペレーティングシステムを動作させてコンピュータ全体を制御する。プロセッサ２００１は、周辺装置とのインターフェース、制御装置、演算装置、レジスタなどを含む中央処理装置で構成されてもよい。例えば、上述のページング受信部２０、アタッチ受信部２２、アタッチ対象判定部２３及びアタッチ処理部２４などは、プロセッサ２００１で実現されてもよい。
【００５１】
また、プロセッサ２００１は、プログラム、ソフトウェアモジュールやデータを、ストレージ２００３及び／又は通信装置２００４からメモリ２００２に読み出し、これらに従って各種の処理を実行する。プログラムとしては、本実施形態で説明する動作の少なくとも一部をコンピュータに実行させるプログラムが用いられる。例えば、ＭＭＥ２のページング受信部２０、アタッチ受信部２２、アタッチ対象判定部２３及びアタッチ処理部２４などは、メモリ２００２に格納され、プロセッサ２００１で動作する制御プログラムによって実現されてもよく、他の機能ブロックについても同様に実現されてもよい。上述の各種処理は、１つのプロセッサ２００１で実行される旨を説明してきたが、２以上のプロセッサ２００１により同時又は逐次に実行されてもよい。プロセッサ２００１は、１以上のチップで実装されてもよい。なお、プログラムは、電気通信回線を介してネットワークから送信されても良い。
【００５２】
メモリ２００２は、コンピュータ読み取り可能な記録媒体であり、例えば、ＲＯＭ、ＥＰＲＯＭ、ＥＥＰＲＯＭ、ＲＡＭなどの少なくとも１つで構成されてもよい。メモリ２００２は、レジスタ、キャッシュ、メインメモリ（主記憶装置）などと呼ばれてもよい。メモリ２００２は、本実施形態に係るページング方法を実施するために実行可能なプログラム（プログラムコード）、ソフトウェアモジュールなどを保存することができる。
【００５３】
ストレージ２００３は、コンピュータ読み取り可能な記録媒体であり、例えば、ＣＤ−ＲＯＭなどの光ディスク、ハードディスクドライブ、フレキシブルディスク、光磁気ディスク、スマートカード、フラッシュメモリ、フロッピーディスク、磁気ストリップなどの少なくとも１つで構成されてもよい。ストレージ２００３は、補助記憶装置と呼ばれてもよい。上述の記憶媒体は、例えば、メモリ２００２及び／又はストレージ２００３を含むデータベース、サーバその他の適切な媒体であってもよい。例えば、上述の障害ノード情報格納部２１などは、ストレージ２００３で実現されてもよい。
【００５４】
通信装置２００４は、有線及び／又は無線ネットワークを介してコンピュータ間の通信を行うためのハードウェアであり、例えばネットワークデバイス、ネットワークコントローラ、ネットワークカード、通信モジュールなどともいう。例えば、上述のページング受信部２０及びアタッチ処理部２４などは、通信装置２００４で実現されてもよい。
【００５５】
入力装置２００５は、外部からの入力を受け付ける入力デバイスである。出力装置２００６は、外部への出力を実施する出力デバイスである。なお、入力装置２００５及び出力装置２００６は、一体となった構成であってもよい。
【００５６】
また、プロセッサ２００１やメモリ２００２などの各装置は、情報を通信するためのバス２００７で接続される。バス２００７は、単一のバスで構成されてもよいし、装置間で異なるバスで構成されてもよい。
【００５７】
また、Ｓ−ＧＷ１は、マイクロプロセッサ、デジタル信号プロセッサ、ＡＳＩＣ、ＰＬＤ、ＦＰＧＡなどのハードウェアを含んで構成されてもよく、当該ハードウェアにより、各機能ブロックの一部又は全てが実現されてもよい。例えば、プロセッサ２００１は、これらのハードウェアの少なくとも１つで実装されてもよい。
【００５８】
以下、図５に示すＭＭＥ２の各機能ブロックについて説明する。なお、前提として、ＭＭＥ２は、図２に示す移動体通信システム７に含まれるＭＭＥ２であって、Ｓ−ＧＷ１から送信されたページングを受信したデフォルトＣＮ２−１のＭＭＥ２−１−１であることを想定する。
【００５９】
ページング受信部２０は、Ｓ−ＧＷ１から送信されたページングを受信し、受信したページングに含まれる、障害判定部１３によって障害が発生していると判定されたＤｅｃｏｒ２−２のＭＭＥ２に関する障害ノード情報を取得し、取得した障害ノード情報を障害ノード情報格納部２１によって格納させる。
【００６０】
障害ノード情報格納部２１は、障害ノード情報を格納する。障害ノード情報格納部２１は、障害ノード情報を一定時間格納（保持）し、一定時間後に当該障害ノード情報を破棄してもよい。
【００６１】
アタッチ受信部２２は、ＵＥ５から送信されたアタッチを、ｅＮＢ４などを介して受信する。アタッチには、従来技術において含まれている各種情報が含まれる。アタッチ受信部２２は、受信したアタッチをアタッチ対象判定部２３に出力する。
【００６２】
アタッチ対象判定部２３は、ＵＥ５からアタッチを受信した際に、アタッチの対象が障害ノード情報格納部２１によって格納された障害ノード情報が示す対象と一致するか否かを判定する。具体的に、障害ノード情報格納部２１は、アタッチ受信部２２からアタッチが入力されると、アタッチに含まれる各種情報、障害ノード情報格納部２１によって格納された障害ノード情報、ＭＭＥ２に予め格納された情報、及びＨＳＳ６などの外部装置へ問い合わせた結果、取得した情報などに基づいて、アタッチの対象が、障害ノード情報が示す対象と一致するか否かを判定する。例えば、アタッチ対象判定部２３は、アタッチに含まれるアタッチの対象であるＭＭＥ２の識別情報と、障害ノード情報格納部２１によって格納された障害ノード情報に含まれる、障害が発生しているＭＭＥ２の識別情報とが一致するか否かを判定する。また例えば、アタッチ対象判定部２３は、アタッチ対象判定部２３は、アタッチに含まれるＵＥ５の識別情報（ＩＭＳＩなど）をキーにＨＳＳ６へ問い合わせた結果、取得した「UE  Usage  Type」及び当該取得した「UE  Usage  Type」に対応付けられてＭＭＥ２に予め格納されている「MMEGI」と、障害ノード情報に含まれる「UE  Usage  Type」及び「MMEGI」とが一致するか否かを判定する。アタッチ対象判定部２３は、判定結果をアタッチ処理部２４に出力する。判定結果は、アタッチの対象が、障害ノード情報が示す対象と一致するか否かを示すフラグ値などを含む。
【００６３】
アタッチ処理部２４は、アタッチ対象判定部２３によって障害ノード情報が示す対象と一致すると判定された場合に、当該対象以外のＭＭＥ２をアタッチの対象とした処理を行う。具体的に、アタッチ処理部２４は、アタッチ対象判定部２３から入力された判定結果が、アタッチの対象が、障害ノード情報が示す対象と一致する旨を示す情報である場合に、当該対象以外のＭＭＥ２をアタッチの対象とした処理を行う。また、アタッチ処理部２４は、アタッチ対象判定部２３によって障害ノード情報が示す対象と一致すると判定された場合に、当該対象が形成するコアネットワーク以外のコアネットワークのＭＭＥ２をアタッチの対象とした処理を行ってもよいし、デフォルトコアネットワークのＭＭＥ２をアタッチの対象とした処理を行ってもよいし、その他の所定のＭＭＥ２をアタッチの対象とした処理を行ってもよい。
【００６４】
続いて、図７及び８に示すシーケンス図を用いて、本実施形態に係るＳ−ＧＷ１及びＭＭＥ２におけるページング処理について説明する。なお、図７及び８の処理は続いており、図７のＡに処理が進むと、図８のＡから処理が続くものとする。また、前提として、Ｓ−ＧＷ１及びＭＭＥ２は、図２に示す移動体通信システム７（ＵＥ５がＤｅｃｏｒ２−２に現在収容されている等）に含まれるＳ−ＧＷ１及びＭＭＥ２であることを想定する。
【００６５】
図７において、Ｓ−ＧＷ１の障害情報格納部１１により、Ｓ−ＧＷ１が管理する（移動体通信システム７に含まれる）ＭＭＥ２それぞれが所属するコアネットワーク（デフォルトＣＮ２−１か、又はＤｅｃｏｒ２−２か）の情報が格納（保持）される（Ｓ２０）。次に、Ｓ−ＧＷ１の障害監視部１０により、Ｄｅｃｏｒ２−２の死活が（定期的に）監視される（Ｓ２１）。次に、Ｓ−ＧＷ１の障害監視部１０により、デフォルトＣＮ２−１の輻輳が（定期的に）監視される（Ｓ２２）。なお、Ｓ２１及びＳ２２は、任意のタイミングで実施されてもよい。Ｓ２２の後、Ｓ−ＧＷ１の障害情報格納部１１により、デフォルトＣＮ２−１の輻輳状態に関する情報が格納される（Ｓ２３）。次に、Ｄｅｃｏｒ２−２にて故障が発生すると（Ｓ２４）、Ｓ−ＧＷ１の障害監視部１０により障害（Ｓ２４の故障）が検知され（Ｓ２５）、検知された障害に関する障害情報がＳ−ＧＷ１の障害情報格納部１１により格納される（Ｓ２６）。
【００６６】
次に、Ｓ−ＧＷ１の下り通信受信部１２により、Ｐ−ＧＷ３から下り通信が受信される（Ｓ２７）。次に、Ｓ−ＧＷ１の障害判定部１３により、Ｓ２７にて受信した下り通信が障害中のＤｅｃｏｒ２−２のＭＭＥ２（ＭＭＥ２−２−１）向けであるか否かが、障害情報格納部１１により格納された障害情報に基づいて判定される（Ｓ２８、障害判定ステップ）。Ｓ２８にて障害中のＤｅｃｏｒ２−２のＭＭＥ２向けでないと判定されると（Ｓ２８：ＮＯ）、Ｓ−ＧＷ１及び移動体通信システム７全体において、通常の呼処理が継続される（Ｓ２９）。一方、Ｓ２８にて障害中のＤｅｃｏｒ２−２のＭＭＥ２向けであると判定されると（Ｓ２８：ＹＥＳ）、続いて、Ｓ−ＧＷ１により、デフォルトＣＮ２−１が輻輳しているか否かが、障害情報格納部１１により格納された障害情報に基づいて判定される（Ｓ３０、障害判定ステップ）。Ｓ３０にてデフォルトＣＮ２−１が輻輳していると判定されると（Ｓ３０：ＹＥＳ）、Ｓ−ＧＷ１のページング送信部１４により、Ｄｅｃｏｒ２−２の（障害中のＭＭＥ２以外の）ＭＭＥ２からページング先が選択され、ページングが送信される（Ｓ３１）。一方、Ｓ３０にてデフォルトＣＮ２−１が輻輳していないと判定されると判定されると（Ｓ３０：ＹＥＳ）、Ｓ−ＧＷ１のページング送信部１４により、「UE  Usage  Type」及び「MMEGI」を含むページング要求がデフォルトＣＮ２−１（のＭＭＥ２（ＭＭＥ２−１−１））に送信される（Ｓ３２、ページング送信ステップ）。次に、デフォルトＣＮ２−１のページング受信部２０によりＳ３２にて送信されたページングが受信され、デフォルトＣＮ２−１の障害ノード情報格納部２１によりページングに含まれる「UE  Usage  Type」及び「MMEGI」が一定時間格納される（Ｓ３３）。次に、デフォルトＣＮ２−１によりＵＥ５に対してページング（IMSI  Paging）が送信される（Ｓ３４）。
【００６７】
図８に移り、Ｓ３４の後、ＵＥ５により、アタッチがデフォルトＣＮ２−１（のＭＭＥ２）に送信される（Ｓ３５）。次に、デフォルトＣＮ２−１のアタッチ受信部２２によりＳ３５にて送信されたアタッチが受信され、デフォルトＣＮ２−１のアタッチ対象判定部２３により、ＨＳＳ６に対して「UE  Usage  Type」の問い合わせ（Dia_ULR（Update  Location  Request）の送信）が行われる（Ｓ３６）。次に、ＨＳＳ６により、Ｓ３６の応答として「UE  Usage  Type」が返信される（Dia_ULA（Update  Location  Answer）の送信）（Ｓ３７）。次に、デフォルトＣＮ２−１のアタッチ対象判定部２３により、アタッチの対象が、故障しているＭＭＥ２が属するＤｅｃｏｒ２−２であるか否かが判定される（Ｓ３８）。Ｓ３８にてアタッチの対象が故障しているＭＭＥ２が属するＤｅｃｏｒ２−２ではないと判定されると（Ｓ３８：ＮＯ）、デフォルトＣＮ２−１のアタッチ処理部２４により、アタッチがＤｅｃｏｒ２−２へリダイレクトされる（Ｓ３９）。一方、Ｓ３８にてアタッチの対象が故障しているＭＭＥ２が属するＤｅｃｏｒ２−２であると判定されると（Ｓ３８：ＹＥＳ）、デフォルトＣＮ２−１のアタッチ処理部２４により、アタッチがＤｅｃｏｒ２−２へリダイレクトされず、デフォルトＣＮ２−１へのアタッチとして処理される（Ｓ４０）。
【００６８】
次に、本実施形態のように構成されたＳ−ＧＷ１及びＭＭＥ２の作用効果について説明する。
【００６９】
本実施形態のＳ−ＧＷ１によれば、ＵＥ５に対する下り通信を受信し、下り通信の呼処理を行うＤｅｃｏｒ２−２のＭＭＥ２に障害（故障など）が発生していると判定された場合に、ページングを送信するＭＭＥ２候補としてデフォルトＣＮ２−１のＭＭＥ２を含めた上で、ＭＭＥ２候補からＭＭＥ２を選択し、選択したＭＭＥ２にページングが送信される。かかる構成を採れば、ページングの送信先としてデフォルトＣＮ２−１のＭＭＥ２も対象となるため、ページングによる処理負荷がデフォルトＣＮ２−１に分散され、障害が発生したＤｅｃｏｒ２−２の処理負荷を軽減することができる。
【００７０】
また、上述の、下り通信の呼処理を行うＤｅｃｏｒ２−２のＭＭＥ２に障害が発生していると判定された場合に、さらに、デフォルトＣＮ２−１に障害（輻輳など）が発生していないと判定された場合にという条件を追加することで、デフォルトＣＮ２−１の処理負荷も考慮したページングを実現することができる。
【００７１】
また、Ｓ−ＧＷ１のページング送信部１４は、ＭＭＥ２候補からＭＭＥ２をラウンドロビンにより順番に選択することで、Ｓ−ＧＷ１が下り通信を受信するたびに、異なるＭＭＥ２に順番に障害ノード情報を送信し、当該ＭＭＥ２が当該障害ノード情報を格納することができる。すなわち、全てのＭＭＥ２に障害ノード情報を一斉に送信しなくとも、Ｓ−ＧＷ１が下り通信を受信する度に一つのＭＭＥ２に順番に障害ノード情報を送信することで、ネットワーク全体の負荷が抑えられると共に、全てのＭＭＥ２に障害ノード情報を行き渡らせることができる。
【００７２】
また、障害ノード情報として「MMEGI」を採用することで、故障した単一のＭＭＥ２だけでなく、例えば故障したＭＭＥ２と同じコアネットワーク又はプールに属するＭＭＥ２群に対する振り分け判定を行うことができる。また、障害ノード情報としてさらに「UE  Usage  Type」を採用することで、単一のＵＥ５に対してではなく、同じ「UE  Usage  Type」を持つ（すなわち同じ用途種別を持つ）ＵＥ５群に対して一律にコアネットワークの振り分けを行うことができる。また、「MMEGI」及び「UE  Usage  Type」は３ＧＰＰにて規定された情報であり、既存の規格を変更することなく本実施形態に係る発明を適用することができる。
【００７３】
また、本実施形態のＭＭＥ２によれば、ＵＥ５からアタッチを受信した際に、アタッチの対象が、障害ノード情報が示す対象と一致すると判定された場合に、当該対象以外のＭＭＥ２をアタッチの対象とした処理が行われる。かかる構成を採れば、アタッチがＤｅｃｏｒ２−２のＭＭＥ２にはリダイレクトされなくなるため、Ｄｅｃｏｒ２−２のＭＭＥ２において折り返しのアタッチの処理負荷を軽減することができる。
【００７４】
また、ＭＭＥ２の障害ノード情報格納部２１は、障害ノード情報を一定時間格納することで、例えば、しばらく時間が経ち、障害が発生していたＭＭＥ２の障害が回復した際に、通常の振り分け処理に戻るため、特別な機能を備えることなく、障害の回復後にも通常通り振り分け処理を継続することができる。
【００７５】
以上の通り、本実施形態のＳ−ＧＷ１及びＭＭＥ２を含む移動体通信システム７では、下り通信が発生し、対象のＭＭＥ２が故障しているため呼処理の継続が不可能である場合、Ｓ−ＧＷ１にて対象のＭＭＥ２がＤｅｃｏｒ２−２のＭＭＥ２であること、デフォルトＣＮ２−１が輻輳していないことを判定し、ページング（IMSI  Paging）対象のＭＭＥ２をデフォルトＣＮ２−１からも選択する処理を追加する。また、その後、ＵＥ５が折り返しで実施するアタッチ処理についてもＤｅｃｏｒ２−２のＭＭＥ２への折り返しを防ぐことで、負荷分散されるＭＭＥ２が多くなり、追加設備なくネットワーク全体の輻輳を防ぐことが可能となる。また、本機能によってＤｅｃｏｒ２−２のＭＭＥ２が全断した場合も、デフォルトＣＮ２−１のＭＭＥ２を利用して、加入者の通信が継続可能となる。
【００７６】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、Ｗ−ＣＤＭＡ（登録商標）、ＧＳＭ（登録商標）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【００７７】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【００７８】
本明細書において特定の装置によって行われるとした特定動作は、場合によってはその上位ノード（upper  node）によって行われることもある。例えば、特定の装置が基地局であった場合においては、当該基地局を有する１つまたは複数のネットワークノード（network  nodes）からなるネットワークにおいて、端末との通信のために行われる様々な動作は、基地局および／または基地局以外の他のネットワークノード（例えば、ＭＭＥまたはＳ−ＧＷなどが考えられるが、これらに限られない）によって行われ得ることは明らかである。上記において基地局以外の他のネットワークノードが１つである場合を例示したが、複数の他のネットワークノードの組み合わせ（例えば、ＭＭＥおよびＳ−ＧＷ）であってもよい。
【００７９】
情報等は、上位レイヤ（または下位レイヤ）から下位レイヤ（または上位レイヤ）へ出力され得る。複数のネットワークノードを介して入出力されてもよい。
【００８０】
入出力された情報等は特定の場所（例えば、メモリ）に保存されてもよいし、管理テーブルで管理してもよい。入出力される情報等は、上書き、更新、または追記され得る。出力された情報等は削除されてもよい。入力された情報等は他の装置へ送信されてもよい。
【００８１】
判定は、１ビットで表される値（０か１か）によって行われてもよいし、真偽値（Boolean：trueまたはfalse）によって行われてもよいし、数値の比較（例えば、所定の値との比較）によって行われてもよい。
【００８２】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的（例えば、当該所定の情報の通知を行わない）ことによって行われてもよい。
【００８３】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【００８４】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００８５】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【００８６】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【００８７】
なお、本明細書で説明した用語及び／又は本明細書の理解に必要な用語については、同一の又は類似する意味を有する用語と置き換えてもよい。例えば、チャネル及び／又はシンボルは信号（シグナル）であってもよい。また、信号はメッセージであってもよい。また、コンポーネントキャリア（ＣＣ）は、キャリア周波数、セルなどと呼ばれてもよい。
【００８８】
本明細書で使用する「システム」および「ネットワーク」という用語は、互換的に使用される。
【００８９】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【００９０】
上述したパラメータに使用する名称はいかなる点においても限定的なものではない。さらに、これらのパラメータを使用する数式等は、本明細書で明示的に開示したものと異なる場合もある。様々なチャネル（例えば、ＰＵＣＣＨ、ＰＤＣＣＨなど）及び情報要素（例えば、ＴＰＣなど）は、あらゆる好適な名称によって識別できるので、これらの様々なチャネル及び情報要素に割り当てている様々な名称は、いかなる点においても限定的なものではない。
【００９１】
基地局は、１つまたは複数（例えば、３つ）の（セクタとも呼ばれる）セルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局ＲＲＨ：Ｒｅｍｏｔｅ  Ｒａｄｉｏ  Ｈｅａｄ）によって通信サービスを提供することもできる。「セル」または「セクタ」という用語は、このカバレッジにおいて通信サービスを行う基地局、および／または基地局サブシステムのカバレッジエリアの一部または全体を指す。さらに、「基地局」「ｅＮＢ」、「セル」、および「セクタ」という用語は、本明細書では互換的に使用され得る。基地局は、固定局（fixed  station）、ＮｏｄｅＢ、ｅＮｏｄｅＢ（ｅＮＢ）、アクセスポイント（access  point）、フェムトセル、スモールセルなどの用語で呼ばれる場合もある。
【００９２】
移動通信端末は、当業者によって、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント、またはいくつかの他の適切な用語で呼ばれる場合もある。
【００９３】
本明細書で使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【００９４】
本明細書で「第１の」、「第２の」などの呼称を使用した場合においては、その要素へのいかなる参照も、それらの要素の量または順序を全般的に限定するものではない。これらの呼称は、２つ以上の要素間を区別する便利な方法として本明細書で使用され得る。したがって、第１および第２の要素への参照は、２つの要素のみがそこで採用され得ること、または何らかの形で第１の要素が第２の要素に先行しなければならないことを意味しない。
【００９５】
「含む(ｉｎｃｌｕｄｉｎｇ)」、「含んでいる（ｃｏｍｐｒｉｓｉｎｇ）」、およびそれらの変形が、本明細書あるいは特許請求の範囲で使用されている限り、これら用語は、用語「備える」と同様に、包括的であることが意図される。さらに、本明細書あるいは特許請求の範囲において使用されている用語「または（or）」は、排他的論理和ではないことが意図される。本明細書において、文脈または技術的に明らかに1つのみしか存在しない装置である場合以外は、複数の装置をも含むものとする。
【００９６】
本開示の全体において、例えば、英語での「a」、「an」及び「the」のように、翻訳により冠詞が追加された場合、これらの冠詞は、文脈から明らかにそうではないことが示されていなければ、複数のものを含むものとする。
【符号の説明】
【００９７】
１…Ｓ−ＧＷ、２…ＭＭＥ、２−１…デフォルトＣＮ、２−２…Ｄｅｃｏｒ、３…Ｐ−ＧＷ、４…ｅＮＢ、５…ＵＥ、６…ＨＳＳ、７…移動体通信システム、１０…障害監視部、１１…障害情報格納部、１２…下り通信受信部、１３…障害判定部、１４…ページング送信部、２０…ページング受信部、２１…障害ノード情報格納部、２２…アタッチ受信部、２３…アタッチ対象判定部、２４…アタッチ処理部。
【図１】
2018037875.tif 000003
【図２】
2018037875.tif 000004
【図３】
2018037875.tif 000005
【図４】
2018037875.tif 000006
【図５】
2018037875.tif 000007
【図６】
2018037875.tif 000008
【図７】
2018037875.tif 000009
【図８】
2018037875.tif 000010